(57)【特許請求の範囲】
【請求項１】
前面に開口を有するように構成された背面板及び複数の側面板を備え、前記複数の側面板のうちの１つの側面板に光透光部を有する筐体と、
前記筐体の前記開口を閉塞する拡散板と、
前記背面板の第１の領域に配置され、発光素子、及び前記発光素子から放射される光を全周に渡る側面方向に出射する光方向変換部を有する複数の第１光源モジュールと、
前記背面板の前記第１の領域と前記１つの側面板との間に位置する第２の領域に配置され、発光素子、前記発光素子から放射される光を全周に渡る側面方向に出射する光方向変換部、及び前記筐体の前記光透光部と反対側に設けられた光反射部を有し、前記光透過部に向けて光を出射する複数の第２光源モジュールと、
を備えた照明装置。
【請求項２】
前記複数の第２光源モジュールは、前記１つの側面板の前記開口部の縁部の長手方向にわたって、前記複数の第１光源モジュールの配置間隔よりも狭い間隔をもって配置されていることを特徴とする請求項１記載の照明装置。
【請求項３】
前記光方向変換部は、前記発光素子から放射される光を入射する入射面と、前記入射面から入射した光を反射する反射面と、前記反射面で反射した光を屈折して側面方向へ出射する出射面とを有していることを特徴とする請求項１記載の照明装置。
【請求項４】
前記光方向変換部に光拡散剤を含有していることを特徴とする請求項１又は３記載の照明装置。
【請求項５】
前記光拡散剤の含有量は、前記透明材料１００重量％に対して０．０１重量％以上０．１重量％以下であることを特徴とする請求項４記載の照明装置。
【請求項６】
前記光方向変換部に設けられるホルダ片を有し、
前記ホルダ片は、前記光方向変換部側に向けて開口する収納部を有し、前記収納部内に前記発光素子を搭載する回路基板を保持する構成を有していることを特徴とする請求項１又は３記載の照明装置。
【発明の詳細な説明】
【技術分野】
【０００１】
本発明は、屋内外に設置された広告看板などを照明する内照式の照明装置に関するものである。
【背景技術】
【０００２】
従来、例えば発光ダイオード（ＬＥＤ）を光源として用い、屋内外に設置された広告看板、広告パネルや広告塔などを照明する内照式の照明装置が知られている。
【０００３】
この種の照明装置の一例としては、例えば看板ケース内に多数個のＬＥＤが所定の間隔をもって上下左右に配列されており、多数個のＬＥＤを点灯させることで看板ケースの前面を背後から照明する壁面直付型の照明看板装置がある（例えば、特許文献１参照。）。
【先行技術文献】
【特許文献】
【０００４】
【特許文献１】特開２００９−１６２９２３号公報
【発明の概要】
【発明が解決しようとする課題】
【０００５】
上記特許文献１に記載された従来の照明看板装置は、例えば店舗入口の上壁に看板ケースを備え付けることで、その看板ケースの前面に印刷された広告表示情報を明るく照らし出すための看板としてのみに用いられる。このような広告表示に特化した形態では、暗い夜間においては照明が届きにくい看板ケースの真下やその周辺に向けて必要とする照明を確保することはできない。しかしながら、この従来の照明看板装置は、看板の照明と店舗入口の照明とを両立させる対策は講じられていない。
【０００６】
従って、本発明の目的は、直接照明と間接照明とを兼ね備えた内照式の照明装置を提供することにある。
【課題を解決するための手段】
【０００７】
［１］本発明は、上記目的を達成するため、発光素子、及び前記発光素子から放射される光を側面方向へ放射する光方向変換部を有する複数の光源モジュールと、前記複数の光源モジュールを面状に配列した支持基体とを備え、前記複数の光源モジュールは、前記光源モジュールから放射された光を反射して前記支持基体の正面方向及び側面方向へ導く第１の光源モジュール配置領域に配列された複数の第１光源モジュールと、前記第１の光源モジュール配置領域の外側に形成された第２の光源モジュール配置領域と、前記第２の光源モジュール配置領域に配列された複数の第２光源モジュールとを有し、前記第２の光源モジュール配置領域は、前記複数の第２光源モジュールから放射された光を、前記支持基体の正面方向の放射よりも、側面方向の放射を増大させる構成を有することを特徴とする照明装置を提供する。
［２］上記［１］記載の発明にあって、前面が開口された筐体を更に備え、前記筐体の側面は、前記複数の第１光源モジュールから放射された光を反射して前記支持基体の正面方向へ導く光反射部と、前記複数の第２光源モジュールから放射された光を前記支持基体の側面方向へ透過する光透過部とを有することを特徴としている。
［３］上記［１］記載の発明にあって、前記複数の第２光源モジュールは、前記支持基体の側面方向と交差する方向にわたって、前記複数の第１光源モジュールの配置間隔よりも狭い間隔をもって配置されていることを特徴としている。
［４］上記［３］記載の発明にあって、前記複数の第２光源モジュールは、前記支持基体に千鳥状あるいは一直線状に配置されていることを特徴としている。
［５］上記［１］記載の発明にあって、前記光方向変換部は、前記発光素子から放射される光を入射する入射面と、前記入射面から入射した光を反射する反射面と、前記反射面で反射した光を屈折して側面方向へ出射する出射面とを有していることを特徴としている。
［６］上記［１］又は［５］記載の発明にあって、前記光方向変換部に光拡散剤を含有していることを特徴としている。
［７］上記［６］記載の発明にあって、前記光拡散剤の含有量は、前記透明材料１００重量％に対して０．０１重量％以上０．１重量％以下であることを特徴としている。
［８］上記［１］又は［５］記載の発明にあって、前記光方向変換部に設けられるホルダ片を有し、前記ホルダ片は、前記光方向変換部側に向けて開口する収納部を有し、前記収納部内に前記発光素子を搭載する回路基板を保持する構成を有していることを特徴としている。
【発明の効果】
【０００８】
本発明は、照明装置の発光面を照明するとともに、発光面以外の周辺部分をも照明することで、発光面以外の周辺部分の補助的な照明灯として利用することができる。
【図面の簡単な説明】
【０００９】
【図１】（ａ）は本発明に係る好適な第１の実施の形態である光源モジュールを模式的に示す斜視図、（ｂ）は光源モジュールの平面図であり、（ｃ）は光源モジュールの下面図である。
【図２】（ａ）は図１（ａ）の２Ａ−２Ａ線の矢視断面拡大図であり、（ｂ）は図１（ｂ）の２Ｂ−２Ｂ線の矢視断面拡大図である。
【図３】図１に示すＬＥＤを模式的に示す断面図である。
【図４】図１に示す光源モジュールの出射光を説明するための図である。
【図５】（ａ）は図１に示す光源モジュールを用いた第２の実施の形態である面状発光装置の配列を説明するための図であり、（ｂ）は（ａ）の５Ｂ−５Ｂ線矢視断面であって、面状発光装置の出射光を説明するための図である。
【図６】（ａ）は面状発光装置の他の配列を説明するための図であり、（ｂ）は面状発光装置の更に他の配列を説明するための図である。
【発明を実施するための形態】
【００１０】
［１］本発明は、上記目的を達成するために、前面に開口を有するように構成された背面板及び複数の側面板を備え、前記複数の側面板のうちの１つの側面板に光透光部を有する筐体と、前記筐体の前記開口を閉塞する拡散板と、前記背面板の第１の領域に配置され、発光素子、及び前記発光素子から放射される光を全周に渡る側面方向に出射する光方向変換部を有する複数の第１光源モジュールと、前記背面板の前記第１の領域と前記１つの側面板との間に位置する第２の領域に配置され、発光素子、前記発光素子から放射される光を全周に渡る側面方向に出射する光方向変換部、及び前記筐体の前記光透光部と反対側に設けられた光反射部を有し、前記光透過部に向けて光を出射する複数の第２光源モジュールと、を備えた照明装置を提供する。
［２］前記複数の第２光源モジュールは、前記１つの側面板の前記開口部の縁部の長手方向にわたって、前記複数の第１光源モジュールの配置間隔よりも狭い間隔をもって配置されていることを特徴とする前記［１］記載の照明装置。
［３］前記光方向変換部は、前記発光素子から放射される光を入射する入射面と、前記入射面から入射した光を反射する反射面と、前記反射面で反射した光を屈折して側面方向へ出射する出射面とを有していることを特徴とする前記［１］記載の照明装置。
［４］前記光方向変換部に光拡散剤を含有していることを特徴とする前記［１］又は［３］記載の照明装置。
［５］前記光拡散剤の含有量は、前記透明材料１００重量％に対して０．０１重量％以上０．１重量％以下であることを特徴とする前記［４］記載の照明装置。
［６］前記光方向変換部に設けられるホルダ片を有し、前記ホルダ片は、前記光方向変換部側に向けて開口する収納部を有し、前記収納部内に前記発光素子を搭載する回路基板を保持する構成を有していることを特徴とする前記［１］又は［３］記載の照明装置。
【００１１】
［第１の実施の形態］
（光源モジュール）
図１及び図２において、全体を示す符号１は、光源モジュールの一構成例を模式的に示している。この光源モジュール１の基本構成は、光を側面方向へ変換する光方向変換素子１０と、光方向変換素子１０に内嵌固定されたホルダ片２０と、ホルダ片２０に保持固定された回路基板３０と、回路基板３０上に搭載された発光素子４０（以下、「ＬＥＤ４０」という。）とにより構成されている。ＬＥＤ４０はケーブル５０と電気的に接続されている。
【００１２】
（光方向変換素子）
光源モジュール１の光方向変換素子１０は、図１及び図２に示すように、直方形のケース部１１と円形の光方向変換部１２とを有している。このケース部１１及び光方向変換部１２は、例えばＰＭＭＡ（ポリメタクリル酸メチル）樹脂を射出成形することで一体的に形成される。光方向変換素子１０の材質としては、ＰＭＭＡ樹脂に限定されるものではなく、例えばポリカーボネート、エポキシ、シリコーン等の透明樹脂、透明ガラス、又は着色された各種の透明材料を用いることができる。
【００１３】
（ケース部）
光方向変換素子１０のケース部１１は、図１及び図２に示すように、下面に開放する矩形状の嵌合凹部１１ａを有している。その嵌合凹部１１ａを形成する長手方向対向側壁には二組一対の切欠き１１ｂ，１１ｂが形成されている。その長手方向左右両側の対向側壁には二組一対の凸部１１ｃ，１１ｃが突出形成されている。ケース部１１の嵌合凹部１１ａにはホルダ片２０が内嵌固定されている。光方向変換素子１０及びホルダ片２０に囲まれた露呈部分には封止樹脂１３が充填されている。ケース部１１の切欠き１１ｂにはケーブル５０が挿通されている。ケース部１１の凸部１１ｃは、図示しない相手方の取付けユニットに係止される。
【００１４】
（光方向変換部）
光方向変換素子１０の光方向変換部１２は、図１及び図２に示すように、均一の外径を有する扁平状の円柱体からなる。この光方向変換部１２は、回路基板３０上に搭載されたＬＥＤ４０と対応する部位に裁頭円錐形の凹部１２ａを有している。この凹部１２ａは、ＬＥＤ４０から出射される光を入射する第１及び第２の光入射面１２ｂ，１２ｃからなる。この光方向変換部１２は更に、第１の光入射面１２ｂから入射した光を反射する光反射面１２ｄと、この光反射面１２ｄで反射した光を屈折させて側方、斜め前方、及び斜め後方に出射する光出射面１２ｅとを有している。この光入射面１２ｂ，１２ｃ、光反射面１２ｄ、及び光出射面１２ｅには鏡面加工を施すことが好適である。
【００１５】
第１の光入射面１２ｂとＬＥＤ４０との間は、図２に示すように、空隙Ｇが形成されている。この空隙Ｇは約０．３ｍｍ程度をもって形成されることが好適である。これにより、光方向変換素子１０に外力が加わっても、ＬＥＤ４０には力が加わらないので、ＬＥＤ４０の破損、損傷や擦過傷等を防止することができる。光方向変換素子１０の第２の光入射面１２ｃにはＬＥＤ４０から出射される光が入射する。これにより、第２の光入射面１２ｃに入射する光が拡散されるので、輝度のバラツキ（明暗ムラ）を抑制することができる。
【００１６】
光方向変換部１２の光反射面１２ｄは、図１及び図２に示すように、光出射面１２ｅに向けて次第に拡がる漏斗状に形成されており、第１の光入射面１２ｂから到達する光を光出射面１２ｅへ向けて全反射するようになっている。この光反射面１２ｄの形態は図示例に制限されるものではない。光反射面１２ｄの形態としては、例えば等価的に回転２次曲面、回転放物面、あるいは回転双曲面のような湾曲形状の一部であってもよい。
【００１７】
光方向変換部１２の光出射面１２ｅは、図１及び図２に示すように、円形をなしているが、光出射面１２ｅの形態にあっても、図示例に限定されるものではない。光出射面１２ｅの形態は、例えば三角形、四角形、あるいは八角形等の多面形状であってもよい。光出射面１２ｅの外面に粗面加工を施すことで光出射面１２ｅの光拡散性を高めることもできる。
【００１８】
（ホルダ片）
光源モジュール１のホルダ片２０は、例えばＡＢＳ樹脂などの樹脂材料からなる。このホルダ片２０は、図示例に限定されるものではないが、図１及び図２に示すように、細長いブロック板により構成されている。ホルダ片２０の内部には、光方向変換素子１０側に開放する収納空間２１が形成されている。その収納空間２１の中間部の一部は、回路基板３０を載置支持する支持面を有する段状部２２をもつ階段形状をなしている。その段状部２２には図示しないピン挿通孔が上下方向に貫通して穿設されている。そのピン挿通孔には光方向変換素子１０の同じく図示を省略したホルダ片位置決め用ピンが挿通される。ホルダ片２０は接着や溶着等により光方向変換素子１０の嵌合凹部１１ａ内に内嵌固定される。
【００１９】
（回路基板）
回路基板３０は、特に限定されるものではなく、例えばガラスエポキシ樹脂などの樹脂材料からなる。回路基板３０の表面には、図２に示すように、ＬＥＤ４０が実装され、図示しない配線パターンがＬＥＤ４０のリードと電気的に接続されている。回路基板３０の裏面にはツェナーダイオード等の電子部品３１が実装されている。その電子部品３１は、ホルダ片２０の収納空間２１内に収納されており、ケーブル５０により他の光源モジュール１の回路基板や電源に接続される。回路基板３０の表面を白色に塗装することで、ＬＥＤ４０から発した光が回路基板３０の表面に乱反射して光方向変換素子１０に当たるため、明るく照明することができる。
【００２０】
（ＬＥＤ）
図３を参照すると、ＬＥＤ４０の一構成例が模式的に示されている。このＬＥＤ４０は、白色系の樹脂材料により形成されたパッケージ４２を有している。このパッケージ４２は、リフレクタとなる傾斜面４１ａ及び底面４１ｂからなる凹部４１を有している。その凹部４１の底面には、外側に導出してなる一対のリード４３，４３と、一対のリード４３の凹部４１側の端部に電気的に接続された青色光を発する青色ＬＥＤ素子４４とが配されている。青色ＬＥＤ素子４４はリード４３を介して回路基板３０に実装される。
【００２１】
パッケージ４２の凹部４１内には封止樹脂４５が充填されている。この封止樹脂４５は、青色ＬＥＤ素子４４から発する青色光で励起されて黄色光を発する蛍光体４６を含有している。青色ＬＥＤ素子４４から発する青色光と蛍光体４６から発する黄色光との混合に基づいて白色光が出射する。
【００２２】
青色ＬＥＤ素子４４としては、例えば発光波長領域が４５０ｎｍ〜４６０ｎｍであるＧａＮ系半導体化合物からなるＬＥＤ素子を用いることができる。蛍光体４６としては、例えば珪酸塩系の蛍光体、あるいはＹＡＧ蛍光体等のガーネット系蛍光体などを用いることができる。ＬＥＤの他の一例としては、青色ＬＥＤ素子４４に代えて、例えばＲ、Ｇ、Ｂの３色のＬＥＤ素子を組み込むことにより各種のカラーの発光光を得ることができる。
【００２３】
（光拡散剤）
ところで、光方向変換素子１０の光反射面１２ｄに光が透過する面と全反射する面とを形成すると、ＬＥＤ４０は直進性が強いので、例えば照明対象となる表示面に明るい部分と暗い部分とが点在することとなり、好ましくない。光方向変換素子１０の光反射面１２ｄにシボ加工したシボ面を形成すると、そのシボ面に入射した光は乱反射するので、輝度ムラが目立ち難くなる。しかしながら、シボ面の形状、大きさや配置位置などを試作し、光方向変換素子１０の光反射面１２ｄの裏側から表側に向けて透過する光透過量を厳密に調整しなければならなくなるので好ましくない。
【００２４】
この第１の実施の形態では、光方向変換素子１０としては、図１及び図２に示すように、構成材料となる透明樹脂とは異なる屈折率を有する微粒子状の光拡散剤１４を混入したものが好適に用いられる。この光拡散剤１４は、光を拡散させる性質を有する粒子であれば、特に制限されるものではない。光拡散剤１４としては、例えばガラスビーズ、シリカ粒子、水酸化アルミニウム粒子、炭酸カルシウム粒子、酸化チタン粒子などの無機粒子、あるいはスチレン樹脂粒子、アクリル樹脂粒子、シリコーン粒子などの有機粒子が挙げられ、これらの１又は２種以上が光方向変換素子１０の透明樹脂中に配合される。
【００２５】
光拡散剤１４の形状としては、特に制限されるものではなく、例えば立方状、針状、板状などの各種の形状を使用することができる。好ましくは、光拡散剤１４としては、光の拡散方向を等方的にできる球状であることが望ましい。光拡散剤１４の平均粒径は、例えば約０．５〜１０μｍ程度の範囲内にあれば、光を均一に拡散させることができるので望ましい。平均粒径が約０．５μｍよりも小さくなると、光拡散性は増大するものの、光透過性が低下するので好ましくない。一方、平均粒径が約１０μｍよりも大きくなると、光透過性は増大するものの、光拡散性が低下して輝度ムラが発生しやすくなるので好ましくない。
【００２６】
光拡散剤１４の含有量は光方向変換素子１０の樹脂の種類、厚みや形態などに応じて適宜選択することができる。この第１の実施の形態にあっては、光方向変換素子１０に光拡散剤１４を混入することで薄い乳白色とし、透明樹脂内に均一に分散された状態で使用される。その透明樹脂に分散させる光拡散剤１４の含有量としては、透明樹脂１００重量％に対して０．０１重量％以上０．１重量％以下であることが好適である。好ましくは、透明樹脂１００重量％に対して、０．０５重量％程度に光拡散剤１４を含有することが特に望ましい。光拡散剤１４の含有量が０．１重量％を超すと、光方向変換素子１０の機械的強度の低下をもたらすので好ましくない。一方、光拡散剤１４の含有量が０．０１重量％未満であると、光拡散効果が得られないばかりでなく、方向変換素子１０の光反射面１２ｄに光の明暗部が点在するので好ましくない。
【００２７】
図４には、光方向変換素子１０により光方向が変換された光線が模式的に示されている。透明樹脂１００重量％に対する光拡散剤１４の添加量を０．０１重量％以上０．１重量％以下の範囲内に調整することで、ＬＥＤ４０から発する光が光方向変換素子１０内において多方向に適度に拡散され、光方向変換素子１０の光反射面１２ｄの裏側から表側へ向けて透過する光が略均一に拡散放射される。これにより、光方向変換素子１０の形状や歪みなどによる光の強弱のムラを解消することができる。
【００２８】
（第１の実施の形態の効果）
上記第１の実施の形態に係る光源モジュール１によると、次の様々な効果が得られる。
（１）透明樹脂１００重量％に対する光拡散剤１４の含有量を０．０１重量％以上０．１重量％以下の範囲内に調整することで、光方向変換素子１０から光反射面１２ｄへの出射光の指向性を容易に変更させることが可能となる。
（２）従来では透明材質からなるレンズの形状や厚さのようなレンズの特性によりＬＥＤからの光が分光するため、色むらや発光ムラが発生するという問題点があった。この第１の実施の形態においては、透明材質からなる光方向変換素子１０に０．０１重量％以上０．１重量％以下の拡散剤１４を調合することで、光の光路を容易に変更することができるので、光方向の厳密な調整を行うことなく、光源モジュール１からの光を均一に分散できるようになり、光学的な均一性の効果が得られる。
（３）光方向変換素子１０の光入射面１２ｂ，１２ｃに入射した光を側方、斜め前方、及び斜め後方に変換して出射することができるので、１つのＬＥＤ４０が照射する範囲が拡大され、色むらや発光ムラの発生を十分に抑制することができる。
（４）光方向変換素子１０の凹部１２ａとＬＥＤ４０との間に空隙Ｇが設けられるため、光方向変換素子１０に圧力が加わっても、ＬＥＤ４０には外力が加わらず、ＬＥＤ４０の破損、損傷や擦過傷等の発生を防止することができる。
【００２９】
［第２の実施の形態］
以上のように構成された光源モジュール１は、最終製品として、例えば屋外に設置された広告看板を照明する内照式の照明装置に効果的に適用することができる。
【００３０】
（広告看板）
図５を参照すると、図５（ａ）及び（ｂ）には上記第１の実施の形態に係る光源モジュール１を用いた広告看板２が模式的に示されている。なお、これらの図において、上記第１の実施の形態と実質的に同じ部材には同一の部材名と符号を付している。従って、上記第１の実施の形態と実質的に同じ部材に関する詳細な説明は省略する。
【００３１】
この広告看板２は、図５（ａ）及び（ｂ）に示すように、例えばスーパーマーケットやコンビニエンスストア等の入口の上壁などに備え付けられるものであり、矩形状の開口３ａを有する長い直方形の筐体３と、開口３ａの開口縁部に取り付けられた広告表示部４と、筐体３の背面板３ｂに取り付けられた照明装置である面状発光装置５とを備えている。
【００３２】
広告看板２の筐体３は、特に限定されるものではないが、アルミニウム等の金属材料又はポリカーボネート等の樹脂材料からなる。筐体３の背面板３ｂは、図５（ａ）及び（ｂ）に示すように、上下左右の側面板３ｃ，３ｄ，３ｅ，３ｆにより取り囲まれている。これらの側面板３ｃ，３ｄ，３ｅ，３ｆの内面には銀又はアルミニウム等からなる金属反射シートが貼り付けられており、光の反射効率を高めている。側面板３ｃ，３ｄ，３ｅ，３ｆの内面は、金属反射シートの代わりに、例えば白色塗装を施してもよく、筐体３を白色系の樹脂材料で形成することもできる。
【００３３】
この筐体３の下側面板３ｄにおける光源モジュール１と対応する部位には、図５（ａ）及び（ｂ）に示すように、光透過部である光透過口３ｄ−１が形成されている。この光透過口３ｄ−１は、光源モジュール１から放射された光を下側面板３ｄから外部へ導くためのものである。光透過口３ｄ−１としては、その開口縁部に透明なガラス、ポリカーボネートやエポキシ等の透明樹脂材料を設けたものでもよく、下側面板３ｄに隣接して配列された光源モジュール１からの光を筐体３の外側方向に透過するものであれば、図示例に限定されるものではない。
【００３４】
広告看板２の広告表示部４は、図５（ａ）及び（ｂ）に示すように、広告板４ａ、透明板４ｂ、及び散乱板４ｃを積層して形成されている。この透明板４ｂ及び散乱板４ｃは透明樹脂又は透明ガラス等からなる。透明板４ｂは、文字、記号、図形等を構成する広告が印刷された広告板４ａを保護する。散乱板４ｃの表面又は裏面には、図示しない微細な凹凸を有しており、入射光を散乱させる。なお、図示例では、三層構造を有する広告表示部４を例示したが、これに限定されるものではなく、例えば一枚の乳白パネルの表面に文字等を構成する広告を印刷したり、一枚の乳白パネルの表面に広告を印刷した透明又は半透明の広告シートを貼り付けたりしてもよい。
【００３５】
（面状発光装置）
広告看板２の面状発光装置５は、図５（ａ）に示すように、４５個の光源モジュール１が取付面にマトリックス状（２次元的）に取り付けられる支持基体である取付けユニット６を備えている。この取付けユニット６は、図示例に限定されるものではない。取付けユニット６としては、例えば本出願人が先に提案した特開２００８−７４９２号公報に記載されている面発光ユニットや特開２００８−１５９３９４号公報に記載されている取付けユニットを効果的に使用することができることは勿論である。これらのユニットの組合せを任意に設定することで面状発光装置５の発光面積を変更することができる。
【００３６】
この面状発光装置５は、図５（ａ）及び（ｂ）に示すように、背面板３ｂに取り付けられる取付けユニット６、取付けユニット６に着脱可能に嵌合される４５個の光源モジュール１、及び光源モジュール１のケース部１１上に配置された反射板７を備えている。その反射板７は、光源モジュール１から斜め後方に出射された光、光源モジュール１から出射されて広告表示部４で反射した光を広告表示部４側へ反射するものである。反射板７としては、例えばＡＢＳ樹脂等の樹脂材料からなる。反射板７の広告表示部４側の表面に白色塗装を施すことで反射面を形成したものを用いることができるが、白色系の樹脂材料により形成することもできる。
【００３７】
（光源モジュールの配置パターン）
この筐体３内に収容された面状発光装置５は、図５（ａ）及び（ｂ）に示すように、直接間接照明領域となる第１の光源モジュール配置領域Ｔ１と直接照明領域となる第２の光源モジュール配置領域Ｔ２とを有している。この面状発光装置５は、第１光源モジュール配置領域Ｔ１によって広告表示部４を直接間接照明するとともに、第２光源モジュール配置領域Ｔ２により店舗入口及びその周辺を直接照明する内照式の照明装置として効果的に用いられる。この第２光源モジュール配置領域Ｔ２としては、複数の第２光源モジュール１から放射された光を取付けユニット６の正面方向の放射よりも、側面方向の放射を増大させる構成を有することが肝要である。
【００３８】
図示例では、第１光源モジュール配置領域Ｔ１内には３６個の第１の光源モジュール１が配置されるとともに、第２光源モジュール配置領域Ｔ２内には９個の第２の光源モジュール１が配置されている。第１光源モジュール配置領域Ｔ１内に配置された第１光源モジュール１は、相互に直交するＸ方向とＹ方向にマトリックス状に等間隔をもって規則的に配列されている。一方の第２光源モジュール配置領域Ｔ２内に配置された第２光源モジュール１は、第１光源モジュール１の配列ピッチと同一のピッチをもってＸ方向に一直線状に配列されている。
【００３９】
第２光源モジュール１においては、筐体３の光透過口３ｄ−１と対向する光方向変換部１２には、図５（ａ）に示すように、光透過口３ｄ−１とは反対側の光出射面１２ｅの半円周面に光反射部である反射膜１５が設けられている。この反射膜１５は、ＬＥＤ４０から出射した光を反射するものであり、例えばアルミニウム蒸着膜や銀スパッタ膜等の金属膜、白色塗装又は白色系の合成樹脂材からなるフィルムを施すことで反射面を形成することができる。この反射面は、光透過口３ｄ−１とは反対側の光出射面１２ｅから反射する光が光透過口方向に反射する範囲に設ければよい。その範囲は、図示例に限定されるものではなく、例えば光出射面１２ｅの半円周面よりも小さくてもよい。
【００４０】
いま、面状発光装置５に電源を供給すると、全ての第１及び第２光源モジュール１のＬＥＤ４０から白色光を発光する。第１光源モジュール１からの白色光は、図４に示すように、光方向変換素子１０によって側方、斜め上方、及び斜め下方に適度に拡散され、光方向変換素子１０の光反射面１２ｄの裏側から表側へ向けて透過する光が略均一に拡散放射される。
【００４１】
第１光源モジュール１から斜め前方に出射された光Ｌ１は、図５（ｂ）に示すように、
広告表示部４に直接到達する。斜め前方に出射された光Ｌ２は、筐体３の側面板
３ｃの内面で反射して広告表示部４に到達する。斜め後方に出射された光Ｌ３は、反射板
７に反射されて広告表示部４に到達し、広告板４ａの広告内容を鮮明に表示する。
【００４２】
第１光源モジュール１から放出された光Ｌ１〜Ｌ３は、図５（ａ）及び（ｂ）に示すように、広告表示部４に直接的且つ間接的に向かうが、一方の第２光源モジュール１から放出された光Ｌ４は、筐体３の光透過口３ｄ−１を透過することとなる。その光Ｌ４は、第２光源モジュール１からの照明光となり、広告表示部４の真下やその周辺に向けて直接照射する。
【００４３】
このように、第１光源モジュール配置領域Ｔ１は、３６個の第１光源モジュール１から放射された光Ｌ１〜Ｌ３を反射して取付けユニット６の正面方向に存在する広告表示部４へと導く。一方、第１光源モジュール配置領域Ｔ１の外側に配置された第２光源モジュール配置領域Ｔ２は、９個の第２光源モジュール１から放射された光Ｌ４を取付けユニット６の側面方向へと導く。その光Ｌ４は、筐体３の光透過口３ｄ−１から広告表示部４の真下やその周辺に向けて直接照射するので、広告表示部４の真下やその周辺の照明輝度を向上させる。
【００４４】
（光拡散剤）
光方向変換部１２に光が透過する面と全反射する面とを形成すると、ＬＥＤ４０は直進性が強いので、広告表示部４上に明るい部分と暗い部分とが点在する。よって、光方向変換部１２に光拡散剤１４を添加することが好適である。その光方向変換部１２の透明樹脂１００重量％に対する光拡散剤１４の含有量が０．０１重量％未満であると、光源モジュール１の中心部分が暗くなり、隣接する光源モジュール１の間が明るくなるので、広告表示部４上に明暗部（光ムラ）が点在することとなり、広告表示部４の輝度分布が不均一になる。一方、光拡散剤１４の含有量が０．１重量％を超すと、光源モジュール１の直上部分は明るくなるものの、隣接する光源モジュール１の間が暗くなるので、広告表示部４上に明暗部が点在することとなるので好ましくない。
【００４５】
この第２の実施の形態においては、光方向変換部１２の透明樹脂１００重量％に対する光拡散剤１４の含有量を０．０５重量％程度に調整することで、光源モジュール１のＬＥＤ４０から発する光が、光方向変換部１２において全反射、透過、屈折するとともに、光方向変換部１２に混入される拡散剤１４により多方向に乱反射拡散する。多数個の光源モジュール１のＬＥＤ４０のそれぞれの光が、光源モジュール１の直上部、隣接する光源モジュール１の間に明暗差を発生することなく、広告看板２の筐体３の内壁等に反射して広告表示部４の後面に当たる。これにより、光方向変換部１２の輝度ムラが少ないバックライト装置が得られる。
【００４６】
（第２の実施の形態の効果）
上記第２の実施の形態に係る面状発光装置５によれば、上記第１の実施の形態の効果に加えて、次の効果が得られる。
（１）店舗入口の上壁などに備え付けられた広告看板２の照明が届きにくい広告表示部４の真下やその周辺に向けて照明光を補充することができるので、夜間灯として役立つ。
（２）看板の照明と店舗入口の照明との２種類の照明態様により広告表示部４の真下やその周辺を広範囲に照明することができるので、暗闇の中で、店舗入口を歩く歩行者の足下を明るく照らして案内することが可能となる。
（３）拡散剤１４を調合して乱反射光を利用することで光源モジュール１の直上部から出る光の調節が容易となり、光源モジュール１の直上部、及び多数個の光源モジュール１間の明暗差を確実に解消することができる。
（４）光方向変換素子１０は、比較的に少ない数のＬＥＤ４０を使用して簡単な構成でＬＥＤ４０ごとに回路基板３０に実装できるため、生産性を向上させることができる。
【００４７】
［変形例］
上記第２の実施の形態における図示例では、光源モジュール１のＸ方向の配列とＹ方向の配列とは等しく構成されていたが、これに限定されるものではなく、例えば第１光源モジュール配置領域Ｔ１内に存在する複数の第１光源モジュール１間の間隔寸法に比べて、第２光源配置領域Ｔ２内に存在する複数の第２光源モジュール１間を狭い間隔寸法に設定してもよい。
【００４８】
図６を参照すると、図６（ａ）及び（ｂ）には光源モジュール１の他の配置パターンの一例が示されている。なお、これらの図において、上記第２の実施の形態と実質的に同じ部材には同一の部材名と符号を付している。
【００４９】
図６（ａ）に示す第２光源モジュール配置領域Ｔ２内に配置された第２光源モジュール１の配置パターンは、千鳥状に配置させた一例である。図６（ｂ）に示す第２光源モジュール配置領域Ｔ２内に配置された第２光源モジュール１の配置パターンは、複数の光源モジュール１同士を互いに接近させて一直線状に配置させた一例である。第２光源モジュール１の配列ピッチ間の間隔としては、特に限定されるものではないが、複数の第２光源モジュール１は、取付けユニット６の側面方向と交差する方向にわたって複数の第１光源モジュール１の配置間隔よりも狭い間隔で配置されていることが好適である。光源モジュール１の光方向変換部１２の大きさ、互いに隣り合う２個の第２光源モジュール１のＸＹ方向ピッチの配置間隔や平均照度などは、広告看板２の大きさなどに応じて適宜に設定される。
【００５０】
なお、上記第２の実施の形態及び変形例では、反射膜１５を設けた第２光源モジュール１から放射された光を筺体３の下側面板３ｄから外部へ導く補助的な照明灯について説明したが、本発明は、これに限定されるものではないことは勿論であり、例えば筺体３の下側面板３ｄ以外の側面板３ｃ，３ｅ，３ｆから外部へ導く補助的な照明灯を備えた内照式の照明装置であってもよく、第２光源モジュール１に反射膜１５を設けなくてもよい。また、内照式の照明装置を屋外に設置された広告看板に適用した場合について説明したが、例えば屋内外に設置された広告パネルや広告塔などを照明する内照式の照明装置として効果的に使用することができる。
【００５１】
以上の説明からも明らかなように、本発明は、上記実施の形態、変形例及び図示例に限定されるものではなく、各請求項に記載した範囲内で様々に設計変更が可能である。
【符号の説明】
【００５２】
１                光源モジュール
２                広告看板
３                筐体
３ａ              開口
３ｂ              背面板
３ｃ〜３ｆ        側面板
３ｄ−１          光透過口
４                広告表示部
４ａ              広告板
４ｂ              透明板
４ｃ              散乱板
５                面状発光装置
６                取付けユニット
７                反射板
１０              光方向変換素子
１１              ケース部
１１ａ            嵌合凹部
１１ｂ            切欠き
１１ｃ            凸部
１２              光方向変換部
１２ａ            凹部
１２ｂ，１２ｃ    光入射面
１２ｄ            光反射面
１２ｅ            光出射面
１３，４５        封止樹脂
１４              光拡散剤
１５              反射膜
２０              ホルダ片
２１              収納空間
２２              段状部
３０              回路基板
３１              電子部品
４０              ＬＥＤ
４１              凹部
４１ａ            傾斜面
４１ｂ            底面
４２              パッケージ
４３              リード
４４              青色ＬＥＤ素子
４６              蛍光体
５０              ケーブル
Ｇ                空隙
Ｌ１〜Ｌ４        光線
【図１】
0005535688.tif 000002
【図２】
0005535688.tif 000003
【図３】
0005535688.tif 000004
【図４】
0005535688.tif 000005
【図５】
0005535688.tif 000006
【図６】
0005535688.tif 000007